【手続補正書】
【提出日】令和2年6月19日(2020.6.19)
【手続補正１】
【補正対象書類名】明細書
【補正対象項目名】００８４
【補正方法】変更
【補正の内容】
【００８４】
なお、受け孔７１，７２，７３とフック７４，７５，７６の数と配置は、図１２〜図１４の例に限られるものではない。図１５に示すように、本体（符号１０Ｃで示す。）側の受け孔８１，８２を一対の縦長の開口（幅方向寸法に比して奥行き寸法が長い開口）として構成し、血圧計用カバー（符号４０Ｃで示す。）側のそれらに対応するフック８３，８４の先端を幅方向Ｗに関して互いに反対側に向けてもよい。これらのフック８３，８４は、上述のフック７４，７５，７６と同様に、それぞれ芯材４９２と一体に形成され、内布４９１に設けられた貫通孔８５，８５を通して外部へ突出している。この図１５の配置でも、図１２〜図１４の例と同様に、本体１０Ｃに対する血圧計用カバー４０Ｃの取り付け（図１５中に矢印Ｂ４で示す）が行われ、その逆に取り外しが行われる。
【手続補正２】
【補正対象書類名】明細書
【補正対象項目名】００８８
【補正方法】変更
【補正の内容】
【００８８】
血圧計用カバー４０Ｄの取り付けの際には、ユーザは、まず図１６中に示すフック部１２２の切り欠き１２４に対する係合を解除することによって、本来の電池蓋１２０を電池通過口１２３から取り外す。次に、同図中に矢印Ｂ５で示すように、ユーザが、電池通過口１２３を塞ぐために、図１８中に示すように、血圧計用カバー４０Ｄの電池蓋９０を電池通過口１２３に嵌合する。このとき、フック部９２は切り欠き１２４に係合する。このようにして、本体１０Ｄの底面１１に対して血圧計用カバー４０Ｄの結合領域４１′から突出した電池蓋９０が取り付けられ、カバー結合状態となる。これにより、本体１０Ｄに対して血圧計用カバー４０Ｄが簡単に取り付けられる。なお、本体１０Ｄに電池蓋９０が取り付けられた状態では、電池蓋９０は電池収容部に収容された電池が本体１０Ｄから脱落するのを防止する。逆に、血圧計用カバー４０Ｄの取り外しの際には、ユーザが、フック部９２の切り欠き１２４に対する係合を解除することによって、血圧計用カバー４０Ｄの電池蓋９０を電池通過口１２３から取り外す。これにより、この血圧計用カバー４０Ｄは本体１０Ｄから簡単に取り外される。
【手続補正３】
【補正対象書類名】明細書
【補正対象項目名】００９４
【補正方法】変更
【補正の内容】
【００９４】
この例では、図１９に示すように、本体（符号１０Ｅで示す。）は、正面パネル１３の周縁部を除く略全域に、凸状（より正確には、四角錐台状）に少し隆起した第１起伏要素としての隆起部１１５を有している。同図では簡単のため図示を省略しているが、既述の表示器５０と操作部５２は、この隆起部１１５に設けられている。一方、血圧計用カバー（符号４０Ｅで示す。）のパネルカバー領域４４の内布４９１側は、本体１０Ｅの正面パネル１３に形成された凸状の隆起部１１５と対応する位置に、隆起部１１５と嵌合すべき形状をもつ第２起伏要素としての窪み部９５を有している。図２０中に示すように、この窪み部９５は、内布４９１のうち隆起部１１５の周りに相当する部分４９１ｐを山状に盛り上げて形成することによって、相対的に窪んだ領域として形成されている。
【手続補正４】
【補正対象書類名】明細書
【補正対象項目名】００９５
【補正方法】変更
【補正の内容】
【００９５】
これにより、例えば正面パネル１３と受け皿領域４２に対してパネルカバー領域４４と収納カバー領域４３が閉じられる際に、隆起部１１５に窪み部９５が嵌合することによって、本体１０Ｅの正面パネル１３に対してパネルカバー領域４４が位置合わせされる。したがって、本体１０Ｅの正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【手続補正５】
【補正対象書類名】明細書
【補正対象項目名】００９８
【補正方法】変更
【補正の内容】
【００９８】
この例では、図２１に示すように、本体（符号１０Ｆで示す。）は、正面パネル１３の前縁側左右のコーナー領域に、それぞれ第１磁力要素としての磁石１３１，１３２が内蔵されている。一方、血圧計用カバー（符号４０Ｆで示す。）のパネルカバー領域４４には、本体１０Ｆの正面パネル１３に内蔵された磁石１３１，１３２と対応する位置に、第１磁力要素と磁力で引き合う第２磁力要素としての磁石１３３，１３４がそれぞれ内蔵されている。具体的には、図２２中に磁石１３１について例示しているように、磁石１３１，１３２は、本体１０Ｆの正面パネル１３に沿って設けられた磁石保持部１３５に保持されている。また、同図中に磁石１３３について例示しているように、磁石１３３，１３４は、パネルカバー領域４４の内布４９１と芯材４９２との間に保持されている（この例では、図示しない接着剤によって芯材４９２に接着されている。）。
【手続補正６】
【補正対象書類名】明細書
【補正対象項目名】００９９
【補正方法】変更
【補正の内容】
【００９９】
これにより、例えば正面パネル１３と受け皿領域４２に対してパネルカバー領域４４と収納カバー領域４３が閉じられる際に、磁石１３１，１３２と磁石１３３，１３４とが磁力で引き合うことによって、本体１０Ｆの正面パネル１３に対してパネルカバー領域４４が位置合わせされる。したがって、本体１０Ｆの正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【手続補正７】
【補正対象書類名】明細書
【補正対象項目名】０１０２
【補正方法】変更
【補正の内容】
【０１０２】
この例では、図２３に示すように、本体（符号１０Ｇで示す。）は、背面１２の左右に、それぞれ第１磁力要素としての磁石１３６，１３７が内蔵されている。一方、血圧計用カバー（符号４０Ｇで示す。）のパネルカバー領域４４には、本体１０Ｇの正面パネル１３に内蔵された磁石１３６，１３７にまたがって対応するように、第１磁力要素と磁力で引き合う第２磁力要素としての棒状の鉄片１３８が設けられている。具体的には、図２４中に磁石１３６について例示しているように、磁石１３６，１３７は、本体１０Ｇの背面１２に沿って設けられた磁石保持部１３９に保持されている。また、同図中に例示しているように、鉄片１３８は、パネルカバー領域４４の芯材４９２と一体に形成された鉄片保持部４９２ｐに取り囲まれて保持されている。この例では、鉄片保持部４９２ｐは、パネルカバー領域４４の芯材４９２のうち第２の境界部分４３５側の端部を、断面コの字状に成形するとともに、内布４９１から突出させて形成されている。
【手続補正８】
【補正対象書類名】明細書
【補正対象項目名】０１０３
【補正方法】変更
【補正の内容】
【０１０３】
これにより、例えば正面パネル１３と受け皿領域４２に対してパネルカバー領域４４と収納カバー領域４３が閉じられる際に、磁石１３６，１３７と鉄片１３８とが磁力で引き合うことによって、本体１０Ｇの正面パネル１３に対してパネルカバー領域４４が位置合わせされる。したがって、本体１０Ｇの正面パネル１３に対してパネルカバー領域４４が、例えば図１中に示すように前方から見て左右方向Ａ２または前後方向Ａ１へ相対的に位置ずれするような事態が防止される。したがって、見栄えが良くなる。
【手続補正９】
【補正対象書類名】明細書
【補正対象項目名】０１１２
【補正方法】変更
【補正の内容】
【０１１２】
これにより、図２７に示すように、カバー結合状態で、矢印Ｍ１０で示すように収納カバー領域４３Ａが受け皿領域４２に対して開かれる際に、収納カバー領域４３Ａは長手方向Ｌに関して多数箇所（隙間４３ｔ，４３ｔ，…）で折り曲げられる（この例では、開かれる際に姿勢Ｐ６，Ｐ７をとる。）。したがって、ユーザは楽に収納カバー領域４３Ａを開くことができる。